(57)【要約】【課題】エレベータのドア制御にかかる利用者の安全性および運行効率を向上させる。【解決手段】実施形態によれば、エレベータシステムは、戸開した乗りかごに乗り場から乗り込む利用者および乗りかごから降りる利用者を撮像する撮像装置と、撮像装置による撮像結果に基づいて、乗りかごへ乗り込んだ利用者の人数および乗りかごから降りた利用者の人数を検出する検出手段と、検出手段による検出結果に基づいて、利用者にかかる安全性が向上するように、乗りかごの戸開放時間を制御する制御手段とをもつ。【選択図】図１
2014131932.tif 000002
【特許請求の範囲】
【請求項１】
戸開した乗りかごに乗り場から乗り込む利用者および前記乗りかごから降りる利用者を撮像する撮像装置と、
前記撮像装置による撮像結果に基づいて、前記乗りかごへ乗り込んだ利用者の人数および前記乗りかごから降りた利用者の人数を検出する検出手段と、
前記検出手段による検出結果に基づいて、前記利用者にかかる安全性が向上するように、前記乗りかごの戸開放時間を制御する制御手段と
を備えたことを特徴とするエレベータシステム。
【請求項２】
前記乗りかごへ乗り込んだ利用者の人数、前記乗りかごから降りた利用者の人数および前記乗りかごに対する乗降時間予測値を関連付けて記憶する記憶手段をさらに備え、
前記制御手段は、
前記検出手段により検出した、前記乗りかごへ乗り込んだ利用者の人数および前記乗りかごから降りた利用者の人数に関連付けられる、前記記憶手段に記憶される乗降時間予測値に基づいて前記乗りかごの戸開放時間を制御する
ことを特徴とする請求項１に記載のエレベータシステム。
【請求項３】
前記検出手段は、
前記撮像装置による撮像結果に基づいて、前記利用者の乗り場での待ち人数および前記乗りかご内の利用者の人数をさらに検出し、
前記制御手段は、
前記検出手段により検出した、前記乗りかごへ乗り込んだ利用者の人数、前記乗りかごから降りた利用者の人数、前記利用者の乗り場での待ち人数および前記乗りかご内の利用者の人数に応じて前記乗りかごの戸開放時間を延長する
ことを特徴とする請求項１に記載のエレベータシステム。
【請求項４】
前記検出手段は、
前記撮像装置による撮像結果に基づいて前記利用者の身体的特徴を検出し、
前記制御手段は、
前記検出手段により検出した前記利用者の身体的特徴が前記乗りかごの戸開放時間を延長すべき所定の身体的特徴である際に、前記身体的特徴に応じて前記乗りかごの戸開放時間を延長する
ことを特徴とする請求項１に記載のエレベータシステム。
【請求項５】
前記制御手段は、
前記検出手段により検出した前記利用者の身体的特徴が前記乗りかごへの戸閉速度を低速化すべき所定の身体的特徴である際に、前記身体的特徴に応じて前記乗りかごの戸閉速度を低速化する
ことを特徴とする請求項４に記載のエレベータシステム。
【請求項６】
前記乗りかごの戸開前における各階床の乗り場呼び情報を入力する乗り場呼び情報入力手段と、
前記乗りかごの戸開前におけるかご呼び情報を入力するかご呼び情報入力手段とをさらに備え、
前記制御手段は、
前記撮像手段による撮像結果、前記入力した前記乗り場呼び情報および前記かご呼び情報に基づいて前記乗りかごの戸開放時間を制御する
ことを特徴とする請求項１に記載のエレベータシステム。
【請求項７】
前記検出手段による前記乗りかごへ乗り込んだ利用者の人数の検出結果、前記検出手段による前記乗りかごから降りた利用者の人数の検出結果および前記検出手段による検出時における前記乗りかごの戸開放時間を、戸開した前記乗りかごが位置する階床情報と関連付けて記憶する記憶手段をさらに備え、
前記制御手段は、
戸開した前記乗りかごが位置する階床に関わる、前記検出手段により検出した、前記乗りかごへ乗り込んだ利用者の人数および前記乗りかごから降りた利用者の人数に関連付けられる、前記記憶手段に記憶される戸開放時間に基づいて前記乗りかごの戸開放時間を制御する
ことを特徴とする請求項１に記載のエレベータシステム。
【発明の詳細な説明】
【技術分野】
【０００１】
本発明の実施形態は、エレベータシステムに関する。
【背景技術】
【０００２】
従来、エレベータシステムにおいて、かごドアの戸開放時間や戸閉速度の制御は、予め設定された一定の時間、速度に従って行われている。
【先行技術文献】
【特許文献】
【０００３】
【特許文献１】特公平６−２０９８３号公報
【発明の概要】
【発明が解決しようとする課題】
【０００４】
しかし、乗りかごに対する利用者の乗降にかかる時間は、乗りかごに乗り込む利用者の数や乗りかごから降りる利用者の数に応じて変動する。乗りかごに乗り込む利用者の数や乗りかごから降りる利用者の数が増えるにつれて乗降にかかる時間が長くなる。
【０００５】
したがって、前述したように、予め設定された一定の時間、速度でのドア制御を行なうと、利用者の乗降中にドアが閉まり始めるといったケースが発生し、事故を引き起こす要因となる。
【０００６】
また、不必要に長い戸開放時間や遅い戸閉速度を設定すると、利用者の乗降が終了して利用者が乗り場や乗りかご内からいなくなったにも関わらずかごドアを開け続けているケースが発生し、運行効率の不必要な低下を引き起こす要因となる。
【０００７】
本発明が解決しようとする課題は、ドア制御にかかる利用者の安全性および運行効率を向上させることが可能なエレベータシステムを提供することにある。
【課題を解決するための手段】
【０００８】
実施形態によれば、エレベータシステムは、戸開した乗りかごに乗り場から乗り込む利用者および乗りかごから降りる利用者を撮像する撮像装置と、撮像装置による撮像結果に基づいて、乗りかごへ乗り込んだ利用者の人数および乗りかごから降りた利用者の人数を検出する検出手段と、検出手段による検出結果に基づいて、利用者にかかる安全性が向上するように乗りかごの戸開放時間を制御する制御手段とをもつ。
【図面の簡単な説明】
【０００９】
【図１】第１の実施形態に適用されるエレベータシステムの構成例を説明する図。
【図２】第１の実施形態に適用されるエレベータシステムで用いられるステレオカメラおよび画像解析部の設置形態を示す斜視図。
【図３】第１の実施形態に適用されるエレベータシステムで用いられる画像解析部と外部装置との接続形態を示すブロック図。
【図４】第１の実施形態に適用されるエレベータシステムで用いられるステレオカメラおよび画像解析部の処理動作の一例を示すフローチャート。
【図５】第１の実施形態に適用されるエレベータシステムで用いられるドア制御部の機能を説明するブロック図。
【図６】第１の実施形態に適用されるエレベータシステムに用いられるかご内乗降人数テーブルの一例を表形式で示す図。
【図７】第１の実施形態に適用されるエレベータシステムによるドア制御の動作手順の一例を示すフローチャート。
【図８】第１の実施形態に適用されるエレベータシステムによるドア開放時間制御の動作を説明する図。
【図９】第２の実施形態に適用されるエレベータシステムで用いられるドア制御部の機能を説明するブロック図。
【図１０】第２の実施形態に適用されるエレベータシステムによるドア制御の動作手順の一例を示すフローチャート。
【図１１】第３の実施形態に適用されるエレベータシステムの構成例を説明する図。
【図１２】第３の実施形態に適用されるエレベータのドア制御部の機能を説明するブロック図。
【図１３】第３の実施形態に適用されるエレベータによるドア制御の動作手順の一例を示すフローチャート。
【発明を実施するための形態】
【００１０】
以下、実施の形態について、図面を参照して説明する。  
（第１の実施形態）
まず、第１の実施形態について説明する。  
本実施形態におけるエレベータシステムは、従来、予め設定した戸開放時間、戸閉速度に応じて行っていたドア制御に改良を加えたものであり、乗りかご内に設置したステレオカメラによってリアルタイムに得られる情報（乗降者情報）に基づいて、戸開放時間の延長や戸閉速度の低速化を行うことを特徴とする。
【００１１】
図１は、第１の実施形態に適用されるエレベータシステムの構成例を説明する図である。  
図１に示すように、第１の実施形態に適用されるエレベータシステムは、エレベータドア制御システム１を有する。  
このエレベータドア制御システム１は、乗りかご７に設けられたステレオカメラ２により撮影した、乗りかご内７および乗り場付近の映像を解析する画像解析部３、ドアの開閉時間、開閉速度等を制御するドア制御部４を有する。
【００１２】
また、第１の実施形態に適用されるエレベータシステムは、エレベータ制御装置１１を備える。また、このエレベータシステムは、各階床の乗り場に、乗り場呼びの登録のための操作を受け付ける乗り場呼びボタン１２を備える。また、乗りかご７内は、かごドア１４を有するほか、かご呼びの登録のための操作を受け付けるかご操作盤１３を有する。
【００１３】
エレベータ制御装置１１は、乗り場呼びボタン１２の操作により登録した乗り場呼びおよびかご操作盤１３の操作により登録したかご呼びに乗りかご７を応答させる制御を行なう。
【００１４】
乗りかご７は、図示しない巻上機の回転軸に設けられたシーブに巻き掛けられたメインロープを介して図示しない吊り合い重りと連結される。乗りかご７は、巻上機の駆動によるシーブの回転に伴い、シーブとメインロープの間の摩擦力により吊り合い重りとともに昇降路内を互いに上下反対方向に昇降する。  
エレベータ制御装置１１は、巻上機を駆動することでシーブを回転させる。エレベータ制御装置１１は、巻上機への駆動指令を行なうなどして乗りかご７の昇降を制御する。
【００１５】
図２は、ステレオカメラ２を乗りかご７の天井１０１ａに、画像解析部３などを内蔵するケース１１１を乗りかご７の上に、それぞれ設置した状態を示す斜視図である。図３は、画像解析部３と外部装置との接続形態を示すブロック図である。
【００１６】
図２に示すように乗りかご７は、天井１０１ａの近傍に設置されたステレオカメラ２と、乗りかご７の上に設置されたケース１１１に収められた画像解析部３とを備える。ステレオカメラ２は、かごドア１４を通過する利用者を撮影できるように、図２に示すように乗りかご７の内部からかごドア１４越しに見える着床階の乗り場１１６までを撮影する。画像解析部３は、乗りかご７に対して乗り降りする利用者Ｐ１，Ｐ２の三次元位置情報をステレオカメラ２で撮影された映像を基に算出する。
【００１７】
図２に示すように、ステレオカメラ２は臨時に仮設されたバー１２１に取り付けられる。バー１２１は、乗りかご７の天井１０１ａおよび側壁１０１ｂに支持され、かごドア１４と平行かつ水平に設置されている。バー１２１を設ける代わりにブラケットを天井１０１ａや側壁１０１ｂに直接固定し、ステレオカメラ２を取り付けてもよい。また、ステレオカメラ２は天井１０１ａまたは天井照明装置内に組み込まれるようにしてもよい。ステレオカメラ２は、エレベータの使用によってはかごドア１４の上部の幕板で覆われる部分に組み込んでもよい。
【００１８】
ステレオカメラ２は、かごドア１４と平行で水平方向に離して配置されることで撮影角度の異なる２つのカメラ２Ｒ，２Ｌを含む。２つのカメラ２Ｒ，２Ｌどうしの距離および撮影角度が異なっていることによる視差を基に、これら２つのカメラ２Ｒ，２Ｌで同時に撮影されたそれぞれの画像を解析処理することで、被写体の三次元位置を特定することができる。特定された三次元位置は三次元情報として取り扱われる。
【００１９】
画像解析部３は、図３に示すように、画像キャプチャ部１３１、画像処理部１３２を備える。画像キャプチャ部１３１は、接続されているステレオカメラ２から得られる画像を同期させる。画像処理部１３２は、画像キャプチャ部１３１からの出力に対して、外部装置へ出力するための処理を行なう。乗りかご７内には、さらに記憶媒体１０５と通信部１０６が備えられる。記憶媒体１０５は、画像解析部１０３から出力される利用実績を記録する。通信部１０６は、イーサネット（登録商標）１０８を媒介して外部装置に接続されるように構成されている。
【００２０】
外部装置として、作業用のポータブルコンピュータ９１、ルータ９２がイーサネット１０８に接続される。作業用のポータブルコンピュータ９１は、ステレオカメラ２の設定を変更したり、記憶媒体１０５に記録された情報を読み取ったりするために接続される。ルータ９２は、インターネット８０に接続されるとともに、無線ＬＡＮによって通信可能圏内にある携帯電話９３、携帯端末９４、作業用のポータブルコンピュータ９１に接続される。携帯端末９４には、画面を有し無線ＬＡＮに接続できる機能を有しているゲーム機も含まれる。またステレオカメラ２により撮影された映像をリアルタイムで映し出すモニタをルータ９２に接続してもよい。
【００２１】
ルータ９２がインターネット８０に接続されているので、エレベータを管理している監視センタ１４０のコンピュータ１４１や、インターネット８０を介して遠隔地からポータブルコンピュータ９１、携帯電話９３、携帯端末９４などを接続することも可能である。いずれの場合でも、エレベータの画像解析部３に対して接続するためのアクセスコードが設定されることは言うまでもない。ルータ９２がインターネット８０に接続されているとともに無線ＬＡＮ機能を有しているので、画像解析部３によって得られる情報を外部から容易に入手することが可能であり、エレベータの制御やこのエレベータが設置されている建物に広く活用することができる。
【００２２】
画像解析部３は、三次元情報化機能と人間抽出機能と人間追跡処理機能とを備える。三次元情報化機能は、ステレオカメラ２の右側のカメラ２Ｒと左側のカメラ２Ｌとが撮影した画像の視差を基に撮影されたものの三次元情報を算出する。人間抽出機能は、その三次元情報に基づき人か否かを判定し、ステレオカメラ２で撮影された映像から人を抽出する機能である。人間追跡処理機能は、時刻が異なる映像の中から人間抽出機能によって選択された形象の相似形を関連付けすることで、同一の利用者を判定する機能である。これらの機能によって、利用者がどの位置に動いても二人以上の利用者が交差しても個別に追跡することができる。また、各利用者の位置、大きさ、移動方向、移動速度などの情報を得ることもできる。したがって、利用者が大人であるか子供であるかも判別することが可能である。
【００２３】
図４は、第１の実施形態に適用されるエレベータシステムで用いられるステレオカメラおよび画像解析部の処理動作の一例を示すフローチャートである。  
以上のように構成されたエレベータは、図４に示すフローチャートにしたがって以下に説明するように動作する。まず、乗りかご７が目的階に着床すると、画像解析部３は、ステレオカメラ２で撮影された映像を三次元情報に変換する（ステップＳ１）。次に、画像解析部３は、三次元情報を基に人間抽出処理によって画像中に映っている利用者を抽出する（ステップＳ２）。そして、画像解析部３は、この特定により抽出された利用者をそれぞれ追跡する（ステップＳ３）。
【００２４】
次に、ドア制御部４の機能について説明する。  
図５は、第１の実施形態に適用されるエレベータシステムで用いられるドア制御部の機能を説明するブロック図である。  
図５に示すように、画像解析部３の画像処理部１３２は乗客検出部２０を有する。乗客検出部２０は、乗降者情報を検出する機能を有し、乗り待ち人数検出部２１、かご人数検出部２２、乗り込み人数検出部２３、降り人数検出部２４、乗客種別検出部２５を有する。本実施形態では、乗降者情報とは、乗りかご７の利用者人数、乗り場での乗り待ち人数、乗りかご７に対する乗降人数、および、乗りかご７内の利用者の身体的特徴を示す情報である。
【００２５】
乗客検出部２０の乗り待ち人数検出部２１は、ステレオカメラ２からの画像の解析結果に基づいて、乗りかご７が到着した乗り場で待機している利用者の人数、いわゆる乗り待ち人数を検出する。  
かご人数検出部２２は、ステレオカメラ２からの画像の解析結果に基づいて、乗りかご７内にいる利用者の人数を検出する。  
乗り込み人数検出部２３は、ステレオカメラ２からの画像の解析結果に基づいて、乗りかご７のかごドア１４が戸開してから乗りかご７に乗り込んだ利用者の人数を検出する。降り人数検出部２４は、ステレオカメラ２からの画像の解析結果に基づいて、乗りかご７のかごドア１４が戸開した後に乗りかご７から降りた利用者の人数を検出する。
【００２６】
画像解析部３は、エリア推移判定処理機能をさらに有する。この機能は、前述した人間追跡処理機能によって追跡されている特定の利用者の三次元位置情報をもとにその利用者が乗りかご７の中に居るのか外に居るのかを判定する機能である。本実施形態では、ステレオカメラ２で撮影される範囲を乗場エリア、ドアエリア、かご室エリアでなる３つのエリアに区分けしている。乗り込み人数検出部２３や降り人数検出部２４は、乗りかご７が停止している間に人間追跡処理機能によって特定された利用者が乗りかご７に乗ったか降りたかを計測する。乗り込み人数検出部２３は、乗りかご７に利用者が乗った場合に乗り込み人数の値を１増やして更新して、この更新した値を内部メモリに保持する。また、降り人数検出部２４は、乗りかご７から利用者が降りた場合に降り人数の値を１増やして更新して、この更新した値を内部メモリに保持する。
【００２７】
例えば、利用者がかご室エリアからドアエリア、そして乗場エリアへと移動した場合は、降り人数検出部２４は、利用者が乗りかご７から降りたと判定し、降り人数の値を１増やして更新する。また、乗り込み人数検出部２３は、乗場エリアからドアエリア、かご室エリアへと移動した場合は、利用者が乗りかご７に乗ったと判定し、乗り込み人数の値を１増やして更新する。
【００２８】
なお、誤検知を防止するために、乗り込み人数検出部２３や降り人数検出部２４は、人間抽出機能によって抽出された利用者がドアエリアで一時停滞する場合、または３つのエリアを推移しないような検出結果となった場合は、この利用者を検出対象から外す。このときは、乗り込み人数検出部２３や降り人数検出部２４は、乗り込み人数の値も降り人数の値も更新しない。
【００２９】
乗客種別検出部２５は、画像解析部３による解析結果に基づいて、所定の第１の種別が、戸開放時間を延長したり戸閉速度を低速化したりすることを要する所定の第２の種別属する際に、この種別を検出する。所定の第１の種別とは、乗りかご７にいる利用者の種別、乗りかご７のかごドア１４が戸開した後に乗りかご７に乗り込んだ利用者の身体的特徴の種別、または乗りかご７のかごドア１４が戸開した後に乗りかご７から降りた利用者の身体的特徴の種別である。所定の第２の種別とは、ここでは子供、車椅子利用者、荷物運搬者のいずれかである。
【００３０】
また、ドア制御部４は、戸開検出部３１、戸開放時間計測部３２、乗降時間算出パラメータ修正部３３、記憶装置４０、戸開放時間設定部５１、乗降完了判定部５２、予測誤差算出部５３、戸閉指令出力部５４を有する。
【００３１】
記憶装置４０は、不揮発性メモリなどの記憶媒体であり、かご内乗降人数テーブル４１、戸開放時間標準値格納部４２、予測誤差格納部４３を有する。また、記憶装置４０は、戸開検出部３１、戸開放時間計測部３２、乗降時間算出パラメータ修正部３３、戸開放時間設定部５１、乗降完了判定部５２、予測誤差算出部５３、戸閉指令出力部５４による処理動作のためのプログラムを記憶する。乗客検出部２０、戸開検出部３１、戸開放時間計測部３２、乗降時間算出パラメータ修正部３３、戸開放時間設定部５１、乗降完了判定部５２、予測誤差算出部５３、戸閉指令出力部５４は、記憶装置４０に記憶されるプログラムを実行する事で処理動作を行なう。
【００３２】
戸開検出部３１は、かごドア１４が戸開した際に、これを検出する。  
戸開放時間計測部３２は、かごドア１４が戸開した際に、このかごドア１４が戸開してから戸閉が開始するまでの時間である戸開放時間の計測を開始する。
【００３３】
図６は、第１の実施形態に適用されるエレベータシステムに用いられるかご内乗降人数テーブルの一例を表形式で示す図である。  
記憶装置４０内のかご内乗降人数テーブル４１は、乗りかご７が戸開してからの乗りかご７への乗り込み人数と、乗りかご７からの降り人数と、乗りかご７に対する利用者の乗降時間予測値との対応を示すテーブルである。テーブルのマス目における乗降時間予測値の単位は秒である。図６に示すように、乗降時間予測値は、乗りかご７に対して乗降する利用者の人数が多いほど長くなり、乗りかご７に対して乗降する利用者の人数が少ないほど短くなる。
【００３４】
記憶装置４０内の戸開放時間標準値格納部４２は、戸開したかごドア１４の戸開放時間の標準値を格納する。  
乗降時間算出パラメータ修正部３３は、乗りかご７が戸開した後に、戸開放時間計測部３２により計測した時間、乗り込み人数検出部２３により検出した乗り込み人数、および、降り人数検出部２４により検出した降り人数に基づいて、かご内乗降人数テーブル４１の各マス目に対応する乗降時間予測値を修正する。
【００３５】
具体的には、乗降時間算出パラメータ修正部３３は、乗りかご７が戸開した後に、乗り込み人数検出部２３による新たな乗り込み人数の検出タイミング、および降り人数検出部２４による新たな降り人数の検出タイミングで以下の反映を行う。この反映とは、戸開放時間計測部３２により計測した時間を、かご内乗降人数テーブル４１上の上述の乗り込み人数および降り人数に対応するマス目の乗降時間予測値に反映する事である。
【００３６】
戸開放時間設定部５１は、戸開した直後は記憶装置４０の戸開放時間標準値格納部４２に記憶される戸開放時間標準値として戸閉指令出力部５４に出力する。この戸開放時間標準値は、乗りかご７への乗降完了前に戸閉が開始しないように十分に余裕をもたせた値とする。
【００３７】
また、戸開放時間設定部５１は、戸開放時間標準値の出力後に、乗り込み人数検出部２３により検出した乗り込み人数や降り人数検出部２４により検出した降り人数に対応する乗降時間予測値をかご内乗降人数テーブル４１から読み出す。戸開放時間設定部５１は、この予測値に所定のマージンを付加する。このマージンとしては、例えば直近の乗降における乗降時間計測値と乗降時間予測値との誤差である予測誤差（ばらつき）に対して余裕をもたせた時間が設定される。また、過去数回の乗降における乗降時間計測値と乗降時間予測値との誤差の平均値に対して余裕をもたせた時間が設定されるようにしてもよい。
【００３８】
また、戸開放時間設定部５１は、このマージン付加後の乗降時間予測値に対し、乗り待ち人数検出部２１により検出した乗り待ち人数、および、かご人数検出部２２により検出したかご人数に応じて補正処理を行なった値を求める。戸開放時間設定部５１は、この求めた値を前述した戸開放時間標準値に代わる戸開放時間設定値として戸閉指令出力部５４に出力する。このように、乗降時間予測値にマージンを付加した値に対して、前述した補正処理を行なう理由は、乗り込み人数や降り人数の条件が同じでも、乗り待ち人数やかご人数が増えると乗り場やかご内が混雑して乗降時間に影響を及ぼすからである。
【００３９】
また、戸開放時間設定部５１は、かご内乗降人数テーブル４１から読み出した乗降時間予測値に対して乗り待ち人数やかご人数に応じた補正処理を行なった値に所定のマージンを付加するようにしてもよい。
【００４０】
乗降完了判定部５２は、戸開検出部３１による戸開検出後において、第１の時点もしくは第２の時点で、乗りかご７に対する乗降が完了したと判定する。この第１の時点とは、乗り待ち人数検出部２１により検出した乗り待ち人数、または、かご人数検出部２２により検出したかご人数が０となった時点である。第２の時点とは、乗り待ち人数検出部２１により検出した乗り待ち人数や、かご人数検出部２２により検出した人数が変動しなくなってから所定時間が経過した時点である。
【００４１】
戸閉指令出力部５４は、乗りかご７に対する乗降が完了したことを乗降完了判定部５２により判定した際で戸開放時間計測部３２により計測した戸開放時間が戸開放時間設定部５１により設定した戸開放時間設定値に達した際に、戸閉指令を図示しないかごドア駆動装置に出力する。
【００４２】
予測誤差算出部５３は、乗降時間予測値と乗降時間計測値との間の誤差である予測誤差（ばらつき）を算出する。乗降時間計測値とは、乗りかご７が戸開したタイミングから、乗りかご７に対する利用者の乗降が完了したタイミングまでの間に戸開放時間計測部３２により計測した時間を指す。記憶装置４０内の予測誤差格納部４３は、予測誤差算出部５３により算出した予測誤差を格納する。
【００４３】
図７は、第１の実施形態に適用されるエレベータシステムによるドア制御の動作手順の一例を示すフローチャートである。  
乗りかご７が、ある階床の乗り場から発車しようとしてかごドア１４が戸閉すると、かご人数検出部２２は、乗りかご７内の現在の利用者の人数を検出し、この検出結果を内部メモリに保持する。
【００４４】
また、乗客種別検出部２５は、乗りかご７に子供、車椅子利用者、荷物運搬者のいずれかがいることを検出した際は、これらの人数を子供、車椅子利用者、荷物運搬者のそれぞれで区分して内部メモリに保持する。
【００４５】
まず、乗りかご７が呼びに応答していずれかの階床の乗り場に着床して戸開したことをドア制御部４の戸開検出部３１が検出すると（ステップＳ１１）、戸開放時間設定部５１は、記憶装置４０の戸開放時間標準値格納部４２に記憶される戸開放時間標準値を読み出して戸閉指令出力部５４に出力する。この出力により、戸開放時間標準値が戸閉指令出力部５４に設定され（ステップＳ１２）、この値で示される時間が経過するまでは戸閉指令は出力されない。
【００４６】
戸開検出部３１が戸開を検出すると、戸開放時間計測部３２は、戸開放時間の計測を開始する（ステップＳ１３）。  
そして、戸開検出部３１による戸開の検出にともなって、乗り込み人数検出部２３による乗り込み人数の検出、および降り人数検出部２４による降り人数の検出が開始される（ステップＳ１４）。
【００４７】
そして、乗客検出部２０は、乗り待ち人数検出部２１による検出結果、かご人数検出部２２による検出結果、および乗客種別検出部２５による検出結果に基づいて、所定の乗降がなされた事が認められるか否かを判断する。所定の乗降とは、乗りかご７にいる子供、車椅子利用者、荷物運搬者のいずれかの人数が変動した事、つまり乗りかご７に対する子供、車椅子利用者、荷物運搬者のいずれかの乗降である。
【００４８】
乗客種別検出部２５は、ステップＳ１５で「ＹＥＳ」と判断されたとき、内部メモリに記憶される子供の人数、車椅子利用者の人数、荷物運搬者の人数のカウント値を、この乗降後におけるカウント値に更新する（ステップＳ１６）。このカウント値は、乗りかご７に該当種別の利用者が１人乗り込めば１増加し、乗りかご７から該当種別の利用者が１人降りれば１減少する。
【００４９】
そして、戸開放時間設定部５１は、戸開後において乗り込み人数検出部２３により検出している乗り込み人数に対応して戸開後において降り人数検出部２４により検出している降り人数に対応する乗降時間予測値をかご内乗降人数テーブル４１から読み出す。戸開放時間設定部５１は、この読み出した乗降時間予測値を予測誤差算出部５３に出力する（ステップＳ１７）。  
そして、戸開放時間設定部５１は、この読み出した乗降時間予測値に対し、所定のマージンを付加する（ステップＳ１８）。
【００５０】
図８は、第１の実施形態に適用されるエレベータシステムによるドア開放時間制御の動作を説明する図である。  
乗降時間予測値に対しマージンを付加する理由は、図８に示すように、戸開した乗りかご７に対する乗降が完了した後に戸閉がなされる、つまり乗降時間に対して戸開放時間は長くなるからである。
【００５１】
そして、戸開放時間設定部５１は、乗り待ち人数検出部２１により検出した乗り待ち人数、および、かご人数検出部２２により検出したかご人数の値を読み出す（ステップＳ２０）。戸開放時間設定部５１は、これら読み出した値の大小に応じて、前述したマージン付加後の乗降時間予測値に対する補正処理を行なう（ステップＳ２１）。
【００５２】
また、補正処理により加算される時間は、乗りかご７内の利用者人数が多いほど長くなり、乗りかご７内の利用者人数が少ないほど短くなる。よって、補正後の乗降時間予測値で示される時間は、乗りかご７内の利用者人数や乗りかご７に対して乗降する利用者の人数が多いほど長くなり、乗りかご７内の利用者人数や乗りかご７に対して乗降する利用者の人数が少ないほど短くなる。
【００５３】
戸開放時間設定部５１は、補正処理後の値を前述した戸開放時間標準値に代わる戸開放時間設定値として戸閉指令出力部５４に出力する（ステップＳ２２）。この出力により、戸閉指令出力部５４に対して新たな戸開放時間設定値が設定される。
【００５４】
乗りかご７に対する乗降が完了する前に、乗り込み人数検出部２３により検出した乗り込み人数、または降り人数検出部２４により検出した降り人数が変動したときには（ステップＳ２４のＹＥＳ）、ステップＳ１５に戻る。そして、この変動後における、子供、車椅子利用者、荷物運搬者の乗降に伴うカウント値の更新、乗降時間予測値の読み出し、マージン付加、補正処理が再度なされる。つまり、乗りかご７に対する乗降が完了するまでは、乗りかご７に対する乗降にともなって、子供、車椅子利用者、荷物運搬者のカウント値および戸開放時間設定値が更新され続けることになる。
【００５５】
そして、乗りかご７に対する乗降が完了したことを乗降完了判定部５２が判定すると（ステップＳ２３のＹＥＳ）、乗降完了判定部５２は、この判定時に戸開放時間計測部３２により計測した戸開放時間を乗降時間計測値として予測誤差算出部５３に出力する。
【００５６】
戸閉指令出力部５４は、戸開放時間計測部３２により計測している戸開放時間を取得する（ステップＳ２５）。この取得した戸開放時間が前述した戸開放時間設定値に達した、つまり戸開してから戸開放時間設定値で示される時間が経過した際は（ステップＳ２６）、予測誤差算出部５３は、乗降完了判定部５２からの乗降時間計測値と戸開放時間設定部５１からの乗降時間予測値との差分を予測誤差として算出する。予測誤差算出部５３は、この算出した予測誤差を予測誤差格納部４３に格納する（ステップＳ２７）。
【００５７】
そして、戸閉指令出力部５４は、乗客種別検出部２５により検出した、子供、車椅子利用者、および荷物運搬者のカウント値を乗客種別検出部２５から読み出して、乗りかご７内の子供、車椅子利用者、および荷物運搬者の人数を確認する（ステップＳ２８）。
【００５８】
戸閉指令出力部５４は、Ｓ２８で確認した、乗りかご７内の子供、車椅子利用者、および荷物運搬者の人数の大小に応じて、必要に応じて戸閉速度を設定する（ステップＳ２９）。この設定後の戸閉速度は、乗りかご７内の子供、車椅子利用者、および荷物運搬者の人数が多いほど低くなる。また、戸閉指令出力部５４は、乗りかご７内の子供、車椅子利用者、および荷物運搬者がいないときは、戸閉速度を通常の速度に設定してもよい。  
また、乗りかご７内の、子供、車椅子利用者、および荷物運搬者の特徴に応じて、例えば子供のカウント値の大小に伴う戸閉速度の変動幅に対して、車椅子利用者、および荷物運搬者の大小に伴う戸閉速度の変動幅を異ならせてもよい。また、変動幅を子供、車椅子利用者および荷物運搬者との間で同じとしてもよい。
【００５９】
そして、戸閉指令出力部５４は、設定した戸閉速度にて、かごドア１４の戸閉指令を出力する（ステップＳ３０）。戸閉指令の出力後、乗客検出部２０は、乗り込み人数検出部２３および降り人数検出部２４による検出値をリセットする。
【００６０】
以上のように、第１の実施形態におけるエレベータシステムでは、乗りかご７内のステレオカメラ２により撮影した画像を解析し、この解析結果に基づいて、乗り場で待つ利用者、乗りかご７内の利用者人数、乗りかご７に対して乗降する利用者の人数を検出する。このシステムは、この検出結果に基づいて戸開放時間設定値を得て、さらに身体的特長の種別を検出して、この検出結果に基づいて必要に応じて戸閉速度を低速化する制御を行なう。このような制御を行なうことにより、乗りかご７内の人数や乗降人数に応じた戸開放時間が設定されるので、乗りかご７内の人数や乗降人数が多く、乗降が完了する前に戸閉がなされることによる事故を未然に防止する事ができるので、利用者に対する安全性が向上する。
【００６１】
また、戸開放時間設定値は、乗りかご７内の利用者人数、乗りかご７に対して乗降する利用者の人数が多いほど長くなり、乗りかご７内の利用者人数、乗りかご７に対して乗降する利用者の人数が少ないほど短くなるので、戸開放時間を不必要に長く設定する必要がなく、運行効率を不必要に損なうことがない。
【００６２】
また、乗客検出部２０による乗り込み人数の検出値および降り人数の検出値に基づいてかご内乗降時間テーブルから乗降時間予測値を読み出す構成に替えて次の構成としてもよい。この構成では、例えば過去数回の乗降完了判定部５２による乗降完了判定時における乗り込み人数検出部２３による乗り込み人数の検出値の平均値、および、降り人数検出部２４による降り人数の検出値の平均値を次回の乗り込み人数の予測値および降り人数の予測値とする。そして、これらの予測値に基づいてかご内乗降時間テーブルから乗降時間予測値を読み出す。
【００６３】
（第２の実施形態）
次に、第２の実施形態について説明する。なお、以下の実施形態におけるエレベータシステムの構成のうち第１の実施形態で示したものと同一部分の説明は省略する。  
本実施形態では、第１の実施形態で説明した乗降時間予測値を、乗場呼び情報およびかご呼び情報を考慮して求めることを特徴としている。  
図９は、第２の実施形態に適用されるエレベータシステムで用いられるドア制御部の機能を説明するブロック図である。  
図９に示すように、第２の実施形態に適用されるエレベータシステムでは、ドア制御部４は、第１の実施形態と比較して、乗り場呼び情報入力部６１、かご呼び情報入力部６２をさらに備える。
【００６４】
乗り場呼び情報入力部６１は、エレベータ制御装置１１から各階床の乗り場呼び情報を入力する。  
かご呼び情報入力部６２は、エレベータ制御装置１１から各階床のかご呼び情報を入力する。
【００６５】
本実施形態において、乗降時間の予測に乗り場呼び情報を考慮する理由は、ある階床に対応する乗場呼びがあれば、この呼びに応答して階床に到着した乗りかご７に利用者が乗り込む事が明らかであり、乗りかご７に対する乗降時間に影響を与えることになるからである。
【００６６】
また、本実施形態において、乗降時間の予測にかご呼び情報を考慮する理由は、ある階床に対応するかご呼びがあれば、この呼びに応答して階床に到着した乗りかご７から利用者が降りる事が明らかであり、乗りかご７に対する乗降時間に影響を与えることになるからである。
【００６７】
図１０は、第２の実施形態に適用されるエレベータシステムによるドア制御の動作手順の一例を示すフローチャートである。  
まず、乗りかご７が呼びに応答していずれかの階床の乗り場に着床して戸開したことをドア制御部４の戸開検出部３１が検出すると（ステップＳ１１）、戸開放時間設定部５１は、記憶装置４０の戸開放時間標準値格納部４２に記憶される戸開放時間標準値を読み出して戸閉指令出力部５４に出力する。この出力により、戸開放時間標準値が戸閉指令出力部５４に設定され（ステップＳ１２）、この値で示される時間が経過するまでは戸閉指令は出力されない。
【００６８】
戸開検出部３１が戸開を検出すると、戸開放時間計測部３２は、戸開放時間の計測を開始する（ステップＳ１３）。  
そして、戸開検出部３１による戸開の検出にともなって、乗り込み人数検出部２３による乗り込み人数の検出、および降り人数検出部２４による降り人数の検出が開始される（ステップＳ１４）。
【００６９】
この検出開始後、乗降時間算出パラメータ修正部３３は、所定の時間を、かご内乗降人数テーブル４１上の上述の乗り込み人数および降り人数に対応するマス目の乗降時間予測値に反映する。この反映する時間は、乗り込み人数検出部２３による新たな乗り込み人数の検出、および降り人数検出部２４による新たな降り人数の検出タイミングで戸開放時間計測部３２により計測した時間である。この反映は、乗降が完了するまでの間、乗り込み人数や降り人数が変動するたびに繰り返される。
【００７０】
そして、乗客検出部２０は、乗り待ち人数検出部２１による検出結果、かご人数検出部２２による検出結果、および乗客種別検出部２５による検出結果に基づいて、乗りかご７にいる子供、車椅子利用者、荷物運搬者のいずれかの人数が変動したことが認められるか否かを判断する（ステップＳ１５）。この人数が変動した事とは、つまり乗りかご７に対する子供、車椅子利用者、荷物運搬者のいずれかの乗降がなされた事である。Ｓ１５で「ＹＥＳ」と判断されたとき、乗客種別検出部２５は、内部メモリに記憶される子供の人数、車椅子利用者の人数、荷物運搬者の人数のカウント値を、この乗降後におけるカウント値に更新する（ステップＳ１６）。
【００７１】
そして、戸開放時間設定部５１は、乗り込み人数検出部２３により検出している乗り込み人数、および降り人数検出部２４により検出している降り人数に対応する乗降時間予測値をかご内乗降人数テーブル４１から読み出す。戸開放時間設定部５１は、この読み出した乗降時間予測値を予測誤差算出部５３に出力する（ステップＳ１７）。  
そして、戸開放時間設定部５１は、この読み出した乗降時間予測値に対し、所定のマージンを付加する（ステップＳ１８）。
【００７２】
そして、戸開放時間設定部５１は、乗り待ち人数検出部２１により検出した乗り待ち人数、および、かご人数検出部２２により検出したかご人数の値を読み出す（ステップＳ２０）。
【００７３】
乗り場呼び情報入力部６１は、Ｓ１１で戸開した階床への到着前における戸閉後に、エレベータ制御装置１１から各階床の乗り場呼び情報を入力して、戸開直前の乗り場呼び情報として内部メモリに保持する。  
また、かご呼び情報入力部６２は、Ｓ１１で戸開した階床への到着前における戸閉後に、エレベータ制御装置１１から各階床のかご呼び情報を入力して、戸開直前のかご呼び情報として内部メモリに保持する。  
そして、戸開放時間設定部５１は、乗り場呼び情報入力部６１が保持している戸開直前の各階床の乗り場呼び情報、および、かご呼び情報入力部６２が保持している戸開直前の各階床のかご呼び情報をそれぞれ入力する（ステップＳ４１）。
【００７４】
戸開放時間設定部５１は、Ｓ２０で読み出した乗り待ち人数やかご人数の大小に応じて、前述したマージン付加後の乗降時間予測値に対する補正処理を行なう。さらに、戸開放時間設定部５１は、この補正後の値に対して、第１の判定結果および第２の判定結果に基づいて、さらに補正処理を行なう（ステップＳ４２）。第１の判定結果とは、Ｓ４１で入力した乗り場呼び情報で示される階床にＳ１１で戸開した階床が含まれているか否かの判定結果である。第２の判定結果とは、Ｓ４１で入力したかご呼び情報で示される目的階にＳ１１で戸開した階床が含まれているか否かの判定結果である。例えば、戸開直前の乗り場呼び情報で示される階床に戸開した階床が含まれていれば、乗りかご７の昇降方向に関わらず乗りかご７に乗り込む乗客がいる事になるので、乗降時間予測値に一定値の加算が行われる。  
また、戸開直前のかご呼び情報で示される目的階に戸開した階床が含まれていれば、乗りかご７の昇降方向に関わらず、乗りかご７から降りる乗客がいる事になるので、乗降時間予測値に一定値の加算が行われる。  
また、かご呼び情報で示される他の目的階の数が多くなるほど、戸開した階床で乗りかご７から降りる乗客の数は減少すると思われるので、この事を考慮して乗降時間予測値への加算値が定められる。以後の手順は、第１の実施形態で説明したＳ２２以降の手順と同じである。
【００７５】
以上のように、第２の実施形態におけるエレベータシステムでは、戸開直前の乗場呼び情報およびかご呼び情報と戸開した階床を考慮して乗降時間予測値を補正する。このような補正を行うので、戸開した階床における乗りかご７内の利用者が降りる事の有無、この階床における乗りかご７内に利用者が乗り込む事の有無を考慮して乗降時間設定値を出力することができ、乗降時間設定値の精度を向上させることができる。
【００７６】
（第３の実施形態）
次に、第３の実施形態について説明する。  
この実施形態では、ある階床での乗りかご７に対する乗り込み人数、降り人数に対応する乗降時間予測値を、戸開した乗りかご７が位置する階床ごとに管理し、次回以降の戸開において戸開した乗りかご７が位置する階床、乗り込み人数、降り人数に対応する乗降時間予測値を得ることを特徴としている。  
図１１は、第３の実施形態に適用されるエレベータシステムの構成例を説明する図である。  
本実施形態では、エレベータシステムのエレベータドア制御システムは、画像解析部３の解析データを記録するための記録部６を有する。  
記録部６は、不揮発性メモリなどの記憶媒体であり、戸開した乗りかご７が位置する階床ごとにおける乗りかご７に対する乗り込み人数や降り人数に対応する戸開放時間を記録部６に記録する。
【００７７】
本実施形態では、この記録した情報を次回以降の戸開における乗降時間の予測に用いる。このように、戸開した乗りかご７が位置する階床ごとに記録した戸開放時間を次回以降の乗降時間の予測に用いる理由は、階床によって乗り場の面積や形状が異なるときがあり、このときには乗り込み人数や降り人数が同じ条件であっても階床に応じて乗降時間に影響が生じるからである。
【００７８】
図１２は、第３の実施形態に適用されるエレベータのドア制御部の機能を説明するブロック図である。  
図１２に示すように、第３の実施形態に適用されるエレベータシステムでは、ドア制御部４は、第１の実施形態と比較して、記録処理部７１をさらに有する。  
記録処理部７１は、第１の実施形態で説明したように求めた各階床での乗降人数および乗降時間計測値を、戸開している階床の情報と関連付けて記録部６に記録する。  
よって、本実施形態では、戸開している階床を考慮して乗降時間予測値を得ることができる。
【００７９】
図１３は、第３の実施形態に適用されるエレベータによるドア制御の動作手順の一例を示すフローチャートである。  
まず、乗りかご７が呼びに応答していずれかの階床の乗り場に着床して戸開したことをドア制御部４の戸開検出部３１が検出すると（ステップＳ１１）、戸開放時間設定部５１は、記憶装置４０の戸開放時間標準値格納部４２に記憶される戸開放時間標準値を読み出して戸閉指令出力部５４に出力する。この出力により、戸開放時間標準値が戸閉指令出力部５４に設定され（ステップＳ１２）、この値で示される時間が経過するまでは戸閉指令は出力されない。
【００８０】
戸開検出部３１が戸開を検出すると、戸開放時間計測部３２は、戸開放時間の計測を開始する（ステップＳ１３）。  
そして、戸開検出部３１による戸開の検出にともなって、乗り込み人数検出部２３による乗り込み人数の検出、および降り人数検出部２４による降り人数の検出が開始される（ステップＳ１４）。この検出開始後、記録処理部７１は、戸開放時間計測部３２により計測している戸開放時間を、Ｓ１４で検出している乗り込み人数や降り人数、および戸開した乗りかご７の階床情報と対応付けて記録部６に新たに記録する（ステップＳ５０）。この記録は、乗降が完了するまで乗り込み人数や降り人数が変動するたびに繰り返される。
【００８１】
そして、乗客検出部２０は、乗り待ち人数検出部２１による検出結果、かご人数検出部２２による検出結果、および乗客種別検出部２５による検出結果に基づいて、乗りかご７にいる子供、車椅子利用者、荷物運搬者のいずれかの人数が変動したことが認められるか否かを判断する（ステップＳ１５）。Ｓ１５で「ＹＥＳ」と判断された際、乗客種別検出部２５は、内部メモリに記憶される子供の人数、車椅子利用者の人数、荷物運搬者の人数のカウント値を、この乗降後におけるカウント値に更新する（ステップＳ１６）。
【００８２】
そして、記録処理部７１は、戸開した乗りかご７の階床に対応する対応情報で示される、乗り込み人数、降り人数、戸開放時間を記録部６から読み出す。記録処理部７１は、この読み出した値を、記憶装置４０内のかご内乗降人数テーブル４１上の乗り込み人数、降り人数に対応する乗降時間予測値の値として反映する（ステップＳ５１）。
【００８３】
そして、戸開放時間設定部５１は、乗り込み人数検出部２３により検出している乗り込み人数、および降り人数検出部２４により検出している降り人数に対応する乗降時間予測値をＳ５１で反映されたかご内乗降人数テーブル４１から読み出す。戸開放時間設定部５１は、この読み出した乗降時間予測値を予測誤差算出部５３に出力する（ステップＳ５２）。  
そして、戸開放時間設定部５１は、この読み出した乗降時間予測値に対し、所定のマージンを付加する（ステップＳ５３）。
【００８４】
そして、戸開放時間設定部５１は、乗り待ち人数検出部２１により検出した乗り待ち人数、および、かご人数検出部２２により検出したかご人数の値を読み出す（ステップＳ２０）。戸開放時間設定部５１は、これら読み出した値の大小に応じて、前述したマージン付加後の乗降時間予測値に対する補正処理を行なう（ステップＳ２１）。
【００８５】
戸開放時間設定部５１は、補正処理後の値を前述した戸開放時間標準値に代わる戸開放時間設定値として戸閉指令出力部５４に出力する（ステップＳ２２）。この出力により、戸閉指令出力部５４に対して新たな戸開放時間設定値が設定される。以後の手順は、第１の実施形態で説明したＳ２３以降の手順と同じである。
【００８６】
以上のように、第３の実施形態におけるエレベータシステムでは、戸開した乗りかご７が位置する階床ごとにおける、乗りかご７に対する乗り込み人数や降り人数に対応する戸開放時間を記録し、この記録した情報を次回以降の戸開における乗降時間の予測に用いる。よって、各階床の乗り場の面積や形状を考慮して乗降時間設定値を出力することができ、乗降時間設定値の精度を向上させることができる。
【００８７】
これらの各実施形態によれば、ドア制御にかかる利用者の安全性および運行効率を向上させることが可能なエレベータシステムを提供することができる。  
発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００８８】
１…エレベータドア制御システム、２…ステレオカメラ、３…画像解析部、４…ドア制御部、６…記録部、１１…エレベータ制御装置、１２…乗場呼びボタン、１３…かご操作盤、１４…かごドア、２０…乗客検出部、２１…乗り待ち人数検出部、２２…降り人数検出部、２３…乗り込み人数検出部、２４…降り人数検出部、２５…乗客種別検出部、３１…戸開検出部、３２…戸開放時間計測部、３３…乗降時間算出パラメータ修正部、４０…記憶装置、４１…かご内乗降人数テーブル、４２…戸開放時間標準値格納部、４３…予測誤差格納部、５１…戸開放時間設定部、５２…乗降完了判定部、５３…予測誤差算出部、５４…戸閉指令出力部。
【図１】
2014131932.tif 000003
【図２】
2014131932.tif 000004
【図３】
2014131932.tif 000005
【図４】
2014131932.tif 000006
【図５】
2014131932.tif 000007
【図６】
2014131932.tif 000008
【図７】
2014131932.tif 000009
【図８】
2014131932.tif 000010
【図９】
2014131932.tif 000011
【図１０】
2014131932.tif 000012
【図１１】
2014131932.tif 000013
【図１２】
2014131932.tif 000014
【図１３】
2014131932.tif 000015
【手続補正書】
【提出日】平成26年4月4日(2014.4.4)
【手続補正１】
【補正対象書類名】特許請求の範囲
【補正対象項目名】全文
【補正方法】変更
【補正の内容】
【特許請求の範囲】
【請求項１】
乗りかご内に２つのカメラが、かごドアと平行で水平方向に離し、かつ、距離および撮影角度を異なるように配置することによる視差を基に、戸開した乗りかごに乗り場から乗り込む利用者および前記乗りかごから降りる利用者を撮像する撮像装置と、前記撮像装置による前記２つのカメラの撮像結果から三次元情報を算出した後、この算出された三次元情報から利用者を抽出し、かつ、この抽出された時刻が異なる利用者の形象の相似形を関連付けることにより、前記乗りかごへ乗り込んだ利用者の人数および前記乗りかごから降りた利用者の人数を検出する検出手段と、予め前記乗りかごへ乗り込む利用者の人数と前記乗りかごから降りる利用者の人数とに関連付けて乗降時間予測値を記憶する記憶手段と、前記検出手段により検出される前記乗りかごへ乗り込んだ利用者の人数と前記乗りかごから降りた利用者の人数とに基づき、前記記憶手段から乗降時間予測値を取り出し、この乗降時間予測値に対して所定のマージンを付加し、前記利用者にかかる安全性が向上するように前記乗りかごの戸開放時間を制御する制御手段とを備えたことを特徴とするエレベータシステム。
【請求項２】
前記検出手段は、前記撮像装置による前記２つのカメラの撮像結果から三次元情報を算出した後、この算出された三次元情報から利用者を抽出し、かつ、この抽出された時刻が異なる利用者の形象の相似形を関連付けることにより、前記利用者の乗り場での待ち人数および前記乗りかご内の利用者の人数をさらに検出し、
前記制御手段は、前記検出手段により検出した、前記利用者の乗り場での待ち人数および前記乗りかご内の利用者の人数に応じて前記乗りかごの戸開放時間を延長することを特徴とする請求項１に記載のエレベータシステム。
【請求項３】
前記検出手段は、前記撮像装置による前記２つのカメラの撮像結果から前記利用者の身体的特徴を検出し、
前記制御手段は、前記検出手段により検出した前記利用者の身体的特徴が前記乗りかごの戸開放時間を延長すべき所定の身体的特徴である際に、前記身体的特徴に応じて前記乗りかごの戸開放時間を延長することを特徴とする請求項１に記載のエレベータシステム。
【請求項４】
前記制御手段は、前記検出手段により検出した前記利用者の身体的特徴が前記乗りかごへの戸閉速度を低速化すべき所定の身体的特徴である際に、前記身体的特徴に応じて前記乗りかごの戸閉速度を低速化することを特徴とする請求項３に記載のエレベータシステム。
【請求項５】
前記乗りかごの戸開前における各階床の乗り場呼び情報を入力する乗り場呼び情報入力手段と、前記乗りかごの戸開前におけるかご呼び情報を入力するかご呼び情報入力手段とをさらに備え、
前記制御手段は、前記撮像手段による撮像結果、前記入力した前記乗り場呼び情報および前記かご呼び情報に基づいて前記乗りかごの戸開放時間を制御することを特徴とする請求項１に記載のエレベータシステム。
【請求項６】
前記検出手段による前記乗りかごへ乗り込んだ利用者の人数の検出結果、前記検出手段による前記乗りかごから降りた利用者の人数の検出結果および前記検出手段による検出時における前記乗りかごの戸開放時間を、戸開した前記乗りかごが位置する階床情報と関連付けて記憶する記憶手段をさらに備え、
前記制御手段は、戸開した前記乗りかごが位置する階床に関わる、前記検出手段により検出した、前記乗りかごへ乗り込んだ利用者の人数および前記乗りかごから降りた利用者の人数に関連付けられる、前記記憶手段に記憶される戸開放時間に基づいて前記乗りかごの戸開放時間を制御することを特徴とする請求項１に記載のエレベータシステム。
【手続補正２】
【補正対象書類名】明細書
【補正対象項目名】０００８
【補正方法】変更
【補正の内容】
【０００８】
実施形態によれば、エレベータシステムは、乗りかご内に２つのカメラがかごドアと平行で水平方向に離し、かつ、距離および撮影角度を異なるように配置することによる視差を基に、戸開した乗りかごに乗り場から乗り込む利用者および前記乗りかごから降りる利用者を撮像する撮像装置と、前記撮像装置による前記２つのカメラの撮像結果から三次元情報を算出した後、この算出された三次元情報から利用者を抽出し、かつ、この抽出された時刻が異なる利用者の形象の相似形を関連付けることにより、前記乗りかごへ乗り込んだ利用者の人数および前記乗りかごから降りた利用者の人数を検出する検出手段と、予め前記乗りかごへ乗り込む利用者の人数と前記乗りかごから降りる利用者の人数とに関連付けて乗降時間予測値を記憶する記憶手段と、前記検出手段により検出される前記乗りかごへ乗り込んだ利用者の人数と前記乗りかごから降りた利用者の人数とに基づき、前記記憶手段から乗降時間予測値を取り出し、この乗降時間予測値に対して所定のマージンを付加し、前記利用者にかかる安全性が向上するように前記乗りかごの戸開放時間を制御する制御手段とを備えた構成である。
【手続補正３】
【補正対象書類名】明細書
【補正対象項目名】００１９
【補正方法】変更
【補正の内容】
【００１９】
画像解析部３は、図３に示すように、画像キャプチャ部１３１、画像処理部１３２を備える。画像キャプチャ部１３１は、接続されているステレオカメラ２から得られる画像を同期させる。画像処理部１３２は、画像キャプチャ部１３１からの出力に対して、外部装置へ出力するための処理を行なう。ケース１１１内には、さらに記憶媒体１０５と通信部１０６が備えられる。記憶媒体１０５は、画像解析部３から出力される利用実績を記録する。通信部１０６は、イーサネット（登録商標）１０８を媒介して外部装置に接続されるように構成されている。
【手続補正４】
【補正対象書類名】明細書
【補正対象項目名】００２９
【補正方法】変更
【補正の内容】
【００２９】
乗客種別検出部２５は、画像解析部３による解析結果に基づいて、利用者が所定の第１および第２の種別に属するか否かを検出する。所定の第１の種別とは、乗りかご７を乗降する一般の利用者の種別を指し、所定の第２の種別とは、戸開放時間を延長したり戸閉速度を低速化したりすることを要する身体的特徴を有する利用者の種別であって、ここでは子供、車椅子利用者、荷物運搬者のいずれかを指す。
【手続補正５】
【補正対象書類名】明細書
【補正対象項目名】００６２
【補正方法】変更
【補正の内容】
【００６２】
また、乗客検出部２０による乗り込み人数の検出値および降り人数の検出値に基づいてかご内乗降人数テーブル４１から乗降時間予測値を読み出す構成に替えて次の構成としてもよい。この構成では、例えば過去数回の乗降完了判定部５２による乗降完了判定時における乗り込み人数検出部２３による乗り込み人数の検出値の平均値、および、降り人数検出部２４による降り人数の検出値の平均値を次回の乗り込み人数の予測値および降り人数の予測値とする。そして、これらの予測値に基づいてかご内乗降人数テーブル４１から乗降時間予測値を読み出す。
【手続補正６】
【補正対象書類名】明細書
【補正対象項目名】００７６
【補正方法】変更
【補正の内容】
【００７６】
（第３の実施形態）
次に、第３の実施形態について説明する。  
この実施形態では、ある階床での乗りかご７に対する乗り込み人数、降り人数に対応する乗降時間予測値を、戸開した乗りかご７が位置する階床ごとに管理し、次回以降の戸開において戸開した乗りかご７が位置する階床、乗り込み人数、降り人数に対応する乗降時間予測値を得ることを特徴としている。  
図１１は、第３の実施形態に適用されるエレベータシステムの構成例を説明する図である。本実施形態では、エレベータシステムのエレベータドア制御システムは、画像解析部３の解析データを記録するための記録部６を有する。
記録部６は、不揮発性メモリなどの記憶媒体であり、戸開した乗りかご７が位置する階床ごとにおける乗りかご７に対する乗り込み人数や降り人数に対応する戸開放時間を記録する。